(57)【要約】【課題】  携帯端末は化粧や保護のために携帯端末ケースに入れて携帯端末を使用します。しかし、従来の携帯端末ケースでは、動画などを観る場合、携帯端末を手に持って観るか、何かを利用して携帯端末を立てて観るか、携帯端末用スタンドに立てて、机などに置いて観ます。【解決手段】  携帯端末ケースの裏面に開閉可能な支持板を設け、その支持板を開き携帯端末ケースと支持板との開く角度を固定することで、携帯端末を入れたまま、自立させることができるので、動画などを観るときに机などに置いて観ることができる。【選択図】図１
2017163516.tif 000002
【特許請求の範囲】
【請求項１】
ケース裏面の第１凹部に開閉可能な支持板を備えた携帯端末ケースであって、前記支持板の上面及び下面の長方形の片側の短辺側に前記支持板を回転させるための回転軸となる第１凸部を設けて、前記第１凹部の前記第１凸部に対応する位置に回転軸受けとなる長円形の第２凹部を設け、前記第２凹部の長手方向が前記第１凹部の第２凹部を有する面の長辺に対して斜めに配していることを特徴とする携帯端末ケース。
【請求項２】
前記支持板の第１凸部側の２箇所の角がテーパー面になっており、前記テーパー面が回動時に前記第１凹部に密着可能であることを特徴とする請求項１記載の携帯端末ケース。
【請求項３】
前記第１凹部に面する前記支持板の裏面側に、平面視において平行四辺形の第２凸部と一辺が傾斜になった台形の第３凸部の異なる２つの凸部があり、前記の第２凸部及び第３凸部を受ける第３の凹部と第４の凹部が第１凹部内に形成されていることを特徴とする請求項１記載の携帯端末ケース。
【発明の詳細な説明】
【技術分野】
【０００１】  本発明は、スマートフォンやｉＰｈｏｎｅやタブレットなどの携帯端末に使用される携帯端末ケースに関する。
【背景技術】
【０００２】  携帯端末ケースは、一般に電話をしたりインターネット通信を行うことのできるスマートフォンやｉＰｈｏｎｅそしてタブレットなどの携帯端末を保護したり化粧するために使用される。【０００３】  図３７・図３８は、従来の携帯端末ケースに携帯端末が入った斜視図を示す。【０００４】  図３７は、携帯端末をはめ込む形の携帯端末ケースを表し、図３８は、携帯端末をブックカバーのような物で包む形の携帯端末ケースを表す。【０００５】  この形状では、携帯端末を机などに置く際は携帯端末の画面がある表面またはその反対側の裏面を机などに置くことになり、動画などを観るために画面が見えるように傾斜をつけて自立させることはできません。
【先行技術文献】
【特許文献】
【０００６】
【特許文献１】実用新案登録第３１７７７９８号「携帯端末ケース」
【特許文献２】特許出願公開番号特開２０１３−１４６３８６「スマートフォンケース」
【発明の概要】
【発明が解決しようとする課題】
【０００７】  以上のような従来の携帯端末ケースには、次のような解決すべき課題があった。【０００８】  従来の携帯端末ケースでは、携帯端末で動画などを観る場合、机などに携帯端末を自立させて置く事ができず、携帯端末を手に持ったまま静止させることや長時間その状態を保持することは手が疲れて困難である。【０００９】  そこで、何かを利用して携帯端末を立てかけて観るか、携帯端末用スタンドに立てて、机などに置いて動画を観る。【００１０】  先行技術では、一方向にしか立てかけることができないものや縦置きにも横置きにも立てかけられる構造のものがある。【００１１】  縦置きにも横置きにも立てかけられるものは、携帯端末を保持するケースに横方向に立てかける為の構造体が組み込まれ、そして、縦方向に立てかける為の構造体とからなる。【００１２】  縦置きに立てかける場合は、携帯端末を保持するケースの外側にコの字型の枠があり、そのコの字型の枠の開口部が、携帯端末を保持するケースの片側に回転軸があり、コの字型の開口部の反対側が、回転軸を中心に開く構造である。【００１３】  コの字型の枠のコの字型の開口部の反対側を開いて、コの字型の枠を下にし、携帯端末を立てかける構造であり、携帯端末を保持するケース及びコの字型の枠の表面等に高摩擦抵抗材質が使用され、携帯端末の傾斜角度は任意の角度を保持することが可能な構造である。【００１４】  表面の高摩擦抵抗材質が濡れたり、汚れたり、油脂が付着したり、また、経年変化で材質の状態・成分変化や材質の厚みの変化などで摩擦力が低下する恐れがあり、その場合、携帯端末の傾斜角度の保持力が変わり、初期性能を維持することが困難である。【００１５】  また、高摩擦抵抗材質を使っている場合は、携帯端末を保持するケースを衣服のポケットや鞄などに入れた場合、高摩擦抵抗材質が衣服や鞄の中の物と接し、携帯端末を保持するケースの出し入れが困難な場合があり、ポケットや鞄の中にあるカードなどの小物がくっついて出るなどが考えられる。【００１６】  横置きに立て掛ける構造体は、携帯端末を保持するケースの裏面にある長方形の板が２枚で構成されており、２枚からなる長方形の板は、短辺側の長さが異なり、長辺側の長さが同じで、長辺側で連なり、連なった２枚の板の長辺側の一辺が携帯端末を保持するケースの裏面に取付られた回転部で、また、連なった連結部で屈折できる構造である。【００１７】  ２枚の板の回転部の反対側を携帯端末を保持するケースの裏面に当てて固定すれば、２枚の板は短辺側から見て、携帯端末を保持するケースの裏面の上に、への字になる構造である。【００１８】  短辺の長さが異なる２枚の板が携帯端末を保持するケースの裏面に対し、への字に屈折させ、２枚の板の屈折部が接地するように横置きに立てかける構造になっており、板の短辺部の長さが異なるため、携帯端末を保持するケース右側面を下にした場合と左側面を下にした場合とでは携帯端末の傾斜角度が異なる構造である。【００１９】  この場合、右側面を下にした場合の傾斜角度と左側面を下にした場合の傾斜角度は異なるが、右側面を下にした場合に左側面を下にした傾斜角度にはできず、逆に左側面を下にした場合に右側面を下にした傾斜角度にはできず、���側面方向に対して一傾斜角度である。
【課題を解決するための手段】
【００２０】  以上の課題を解決するために、第一の発明は、ケース裏面の第１凹部に開閉可能な支持板を備えた携帯端末ケースであって、前記支持板の上面及び下面の長方形の片側の短辺側に前記支持板を回転させるための回転軸となる第１凸部を設けて、前記第１凹部の前記第１凸部に対応する位置に回転軸受けとなる長円形の第２凹部を設け、前記第２凹部の長手方向が前記第１凹部の第２凹部を有する面の長辺に対して斜めに配していることを特徴とする携帯端末ケース。【００２１】  第二の発明は、前記支持板の第１凸部側の２箇所の角がテーパー面になっており、前記テーパー面が回動時に前記第１凹部に密着可能であることを特徴とする請求項１記載の携帯端末ケース。【００２２】  第三の発明は、前記第１凹部に面する前記支持板の裏面側に、平面視において平行四辺形の第２凸部と一辺が傾斜になった台形の第３凸部の異なる２つの凸部があり、前記の第２凸部及び第３凸部を受ける第３の凹部と第４の凹部が第１凹部内に形成されていることを特徴とする請求項１記載の携帯端末ケース。
【発明の効果】
【００２３】  本発明の携帯端末ケースには次のような効果がある。【００２４】  第一の発明の効果は、開閉可能な支持板にある回転軸の受けが同心円の回転軸受の場合、携帯端末ケースの短辺側を下にして、開閉可能な支持板を携帯端末ケース裏面の第１凹部より開いて携帯端末ケースを傾斜させて立てかけた場合、その開度を９０度に保持することができず、９０度以上の角度に開き、回転軸となる第１凸部に負荷がかかる。そこで、回転軸の受けの同心円を長円形の第２凹部にし、更に、携帯端末ケース裏面の第１凹部の長円形の第２凹部を有する面の長辺に対して斜めに配していることで、開閉可能な支持板は、回転及び移動が可能となり、長円形の第２凹部に沿って回転・移動し、携帯端末ケースの裏面の第１凹部の面と支持板の２面が接して、開度を９０度に保持でき、接している面が２面で携帯端末ケースを傾斜して立て掛けることができるので、回転軸となる第１凸部に負荷がかかることなく開度が安定して保持できる。【００２５】  第二の発明の効果は、開閉可能な支持板の回転軸側の２箇所の角をテーパー面にすることで、開閉可能な支持板を携帯端末ケース裏面の第１凹部より開いた時、携帯端末ケースの裏面の第１凹部の面とテーパー面の２面が接し、開閉可能な支持板の開度をテーパー面の角度で保持することができ、回転軸となる第１凸部に負荷がかかることなく携帯端末ケースを傾斜して安定して立て掛けることができる。【００２６】  第一の発明と第二の発明によって、開閉可能な支持板は、携帯端末ケースに対して９０度と各テーパー面が支持板の裏面と表面に対して４５度のテーパーである場合は４５度に開くことができ、その開度の違いで、携帯端末ケースを自立させた際の傾斜角度が２段階の角度で利用できる。【００２７】  携帯端末ケースに入った状態で携帯端末にて動画を観たりする時に携帯端末ケースの裏面にある開閉可能な支持板を開いて机などに携帯端末ケースに入った状態で携帯端末を自立させて動画を観ることができ、また、携帯端末を縦置きにも横置きにも自立させることができる。【００２８】  第三の発明の効果は、平行四辺形の第２凸部と一辺が傾斜になった台形の第３凸部の異なる２つの凸部が開閉可能な支持板裏面側にあり、それを受ける第３凹部及び第４凹部が携帯端末ケース裏面の第１凹部にあり、開閉可能な支持板の第１凸部の回転軸を受ける回転軸受が同心円であれば、開閉可能な支持板を閉じようとした場合、平行四辺形の第２凸部とそれを受ける形状の第３凹部であるため、平行四辺形の第２凸部が第３凹部に収めることができず、開閉可能な支持板を閉じることはできません。そこで、回転軸受を長円形の第２凹部にすることで、開閉可能な支持板を第２凹部に沿って回転・移動させて閉じることが可能となり、また、携帯端末ケースに開閉可能な支持板を閉じた時は、開閉可能な支持板の第１凸部の回転軸の反対側を押さえなければ開くことができない。
【図面の簡単な説明】
【００２９】
【図１】この発明の開閉可能な支持板ｂを開いた携帯端末ケースａと携帯端末ｃの具体例斜視図を示す。
【図２】この発明の開閉可能な支持板ｂを閉じた携帯端末ケースａの開閉可能な支持板ｂ側の裏面を表す。
【図３】図２のＡ−Ａ’間の断面図を示す。
【図４】図３の断面図のＦ部の拡大図を示す。
【図５】図３の断面図のＧ部の拡大図を示す。
【図６】図２のＢ−Ｂ’間の断面図を示す。
【図７】この発明の開閉可能な支持板ｂを表す正面図を示す。
【図８】図７の開閉可能な支持板ｂの上部図を示す。
【図９】図２のＤ−Ｄ’間の断面図を示す。
【図１０】図２のＥ−Ｅ’間の断面図を示す。
【図１１】本発明の開閉可能な支持板ｂが携帯端末ケースａに閉じている状態を表す部分図を示す。
【図１２】本発明の開閉可能な支持板ｂが９０度開いた状態を表す部分図を示す。
【図１３】本発明の開閉可能な支持板ｂが４５度開いた状態を表す部分図を示す。
【図１４】この発明の開閉可能な支持板ｂが９０度開いた状態から閉じるまでの動きを説明するための動きを表す断面図で開閉可能な支持板ｂが９０度開いた状態から閉じ始めの状態を示す。
【図１５】この発明の開閉可能な支持板ｂが９０度開いた状態から閉じるまでの動きを説明するための開閉可能な支持板ｂが携帯端末ケースａの裏面に接する寸前を示す。
【図１６】図１５の状態でのＦ部の拡大図を示す。
【図１７】図１５の状態でのＧ部の拡大図を示す。
【図１８】この発明の開閉可能な支持板ｂが図１５から少し閉じた開閉可能な支持板ｂと携帯端末ケースａ裏面の状態を示す。
【図１９】図１８の状態でのＦ部の拡大図を示す。
【図２０】図１８の状態でのＧ部の拡大図を示す。
【図２１】この発明の開閉可能な支持板ｂが図１８から少し閉じ、完全に閉じる寸前の開閉可能な支持板ｂと携帯端末ケースａ裏面の状態を示す。
【図２２】図２１の状態でのＦ部の拡大図を示す。
【図２３】図２１の状態でのＧ部の拡大図を示す。
【図２４】この発明の開閉可能な支持板ｂが図２１から少し閉じ、完全に閉じた開閉可能な支持板ｂと携帯端末ケースａ裏面の状態を示す。
【図２５】図２４の状態でのＦ部の拡大図を示す。
【図２６】図２４の状態でのＧ部の拡大図を示す。
【図２７】この発明の開閉可能な支持板ｂが図２４の閉じた状態から開く動きを説明するための開閉可能な支持板ｂと携帯端末ケースａ裏面の状態を示す。
【図２８】図２７の状態でのＦ部の拡大図を示す。
【図２９】図２７の状態でのＧ部の拡大図を示す。
【図３０】この発明の開閉可能な支持板ｂが図２７の状態から開く動きを説明するための開閉可能な支持板ｂと携帯端末ケースａ裏面の状態を示す。
【図３１】図３０の状態でのＦ部の拡大図を示す。
【図３２】図３０の状態でのＧ部の拡大図を示す。
【図３３】この発明の開閉可能な支持板ｂが図３０の状態から開く動きを説明するための開閉可能な支持板ｂと携帯端末ケースａ裏面の状態を示す。
【図３４】図３３の状態でのＦ部の拡大図を示す。
【図３５】図３３の状態でのＧ部の拡大図を示す。
【図３６】この発明の開閉可能な支持板ｂが図３３の状態から開く動きを説明するための開閉可能な支持板ｂと携帯端末ケースａ裏面の状態で、開くことが可能状態になったことを示す。
【図３７】従来の携帯端末ケースａで携帯端末ｃをはめ込む形の携帯端末ケースａを示す。
【図３８】従来の携帯端末ケースａでブックカバータイプの携帯端末ケースａを示す。
【図３９】本発明の携帯端末ケースａを横向きに設置した状態を表す。
【図４０】その他の実施形態で携帯端末ケースａの裏面の開閉可能な支持板ｂをデザイン化した一例を示す。
【図４１】その他の実施形態で携帯端末ケースａの裏面にある開閉可能な支持板ｂを閉じた状態を保持する方法の一例で開閉可能な支持板ｂの正面図を示す。
【図４２】その他の実施形態で図４１の携帯端末ケースａの裏面にある開閉可能な支持板ｂを閉じた状態を保持する方法の一例で携帯端末ケースａのＢ−Ｂ’間を示す。
【図４３】その他の実施形態で図４１の携帯端末ケースａの裏面にある開閉可能な支持板ｂを閉じた状態を保持する方法の一例で携帯端末ケースａと開閉可能な支持板ｂの関係を示す。
【発明を実施するための形態】
【００３０】  以下、本発明を図の具体例を用いて詳細に説明する。
【００３１】  図１に、本発明の携帯端末ケースａの具体例の斜視図を示し、携帯端末ケースａは、携帯端末ケースａの裏面に開閉可能な支持板ｂがあり、開閉可能な支持板ｂを開いた状態を示し、そして、携帯端末ｃを描いている。
開閉可能な支持板ｂは携帯端末ケースａの裏面に左右１枚づつあり合計２枚ある。
【００３２】  図２は、携帯端末ケースａの裏面からの正面図を表し、携帯端末ケースａの裏面には開閉可能な支持板ｂが携帯端末ケースａの裏面の第１凹部に閉じた状態で２枚あり、各開閉可能な支持板ｂには、それぞれ回転軸（第１凸部）ｄが携帯端末ケースａの中央側の開閉可能な支持板ｂの上面及び下面の片側にあり、その回転軸（第１凸部）ｄを受ける回転軸受（第２凹部）ｅが携帯端末ケースａ裏面の第１凹部側にあり、回転軸受（第２凹部）ｅは回転軸（第１凸部）ｄを受ける形である。
【００３３】  携帯端末ケースａの開閉可能な支持板ｂの縦方向の中央付近に開閉可能な支持板ｂを開くための開閉可能な支持板外側取出用楕円凹部ｆａの凹部と開閉可能な支持板内側取出用楕円凹部ｆｂの凹部がある。
【００３４】  図３は、図２のＡ−Ａ’断面図で、携帯端末ケースａには、携帯端末ｃが入る携帯端末用凹部ｊの凹部と開閉可能な支持板ｂが収まる開閉可能な支持板用凹部（第１凹部）ｋの凹部がある。
【００３５】  携帯端末用凹部ｊの凹部には、携帯端末ｃを入れて携帯端末ｃを押さえる携帯端末押さえｍの凸部がある。
【００３６】  携帯端末ケースａの裏面の各開閉可能な支持板用凹部（第１凹部）ｋの凹部と開閉可能な支持板ｂは、裏面中央凸部ａ１に対して左右対称になっている。
【００３７】  右側の開閉可能な支持板用凹部（第１凹部）ｋの凹部は、裏面中央凸部ａ１の凸部の右側の開閉可能な支持板用凹部中央側側面ｋ１の側面と開閉可能な支持板用凹部右側面ｋ２の側面と回転軸受（第２凹部）ｅのある上面と回転軸受（第２凹部）ｅのある下面と開閉可能な支持板用凹部（第１凹部）ｋの凹部の底面である開閉可能な支持板凹部底面ｐの面からなり、左側の開閉可能な支持板用凹部（第１凹部）ｋの凹部は、裏面中央凸部ａ１の凸部の左側の開閉可能な支持板用凹部中央側側面ｋ１の側面と開閉可能な支持板用凹部左側面ｋ３の側面と回転軸受（第２凹部）ｅのある上面と回転軸受（第２凹部）ｅのある下面と開閉可能な支持板用凹部（第１凹部）ｋの凹部の底面である開閉可能な支持板凹部底面ｐの面からなる開閉可能な支持板ｂを収める２つの開閉可能な支持板用凹部（第１凹部）ｋがある。
【００３８】  各開閉可能な支持板用凹部（第１凹部）ｋの凹部にはそれぞれ開閉可能な支持板ｂがあり、各開閉可能な支持板ｂの開閉可能な支持板背面ｎの面には平行四辺形の開閉可能な支持板裏面の外側固定用凸部（第２凸部）ｇａの凸部と一辺が傾斜になった台形の開閉可能な支持板裏面の回転軸側固定用凸部（第３凸部）ｇｂの凸部とがあり、携帯端末ケースａの開閉可能な支持板凹部底面ｐの面には、開閉可能な支持板裏面の外側固定用凸部（第２凸部）ｇａの凸部と開閉可能な支持板裏面の回転軸側固定用凸部（第３凸部）ｇｂの凸部を受ける形で支持板裏面外側固定用凸部受け凹部（第３凹部）ｈａの凹部と支持板裏面軸受側固定用凸部受け凹部（第４凹部）ｈｂの凹部がある。
【００３９】  開閉可能な支持板ｂの開閉可能な支持板背面ｎの面にある開閉可能な支持板裏面の外側固定用凸部（第２凸部）ｇａの凸部には、携帯端末ケースａの開閉可能な支持板凹部底面ｐの面にある支持板裏面外側固定用凸部受け凹部（第３凹部）ｈａの凹部が受けで、開閉可能な支持板ｂの開閉可能な支持板背面ｎの面にある開閉可能な支持板裏面の回転軸側固定用凸部（第３凸部）ｇｂの凸部には携帯端末ケースａの開閉可能な支持板凹部底面ｐの面にある支持板裏面軸受側固定用凸部受け凹部（第４凹部）ｈｂの凹部が受けとなる。
【００４０】  図４は、図３の右側の開閉可能な支持板ｂのＦ部の拡大図で、開閉可能な支持板ｂの開閉可能な支持板背面ｎの面にある開閉可能な支持板裏面の外側固定用凸部（第２凸部）ｇａの凸部と携帯端末ケースａの開閉可能な支持板凹部底面ｐの面にある支持板裏面外側固定用凸部受け凹部（第３凹部）ｈａの凹部の細部を表す。
【００４１】  開閉可能な支持板ｂの開閉可能な支持板背面ｎの面にある開閉可能な支持板裏面の外側固定用凸部（第２凸部）ｇａの凸部は、支持板裏面外側固定用凸部内面ｇａ１の面と支持板裏面外側固定用凸部底面ｇａ２の面と支持板裏面外側固定用凸部外面ｇａ３の面からなり、裏面中央凸部ａ１の凸部側に傾斜した平行四辺形である。
【００４２】  携帯端末ケースａの開閉可能な支持板凹部底面ｐの面にある支持板裏面外側固定用凸部受け凹部（第３凹部）ｈａの凹部は、支持板固定用外側受け凹部内面ｈａ１の面と支持板固定用外側受け凹部底面ｈａ２の面と支持板固定用外側受け凹部外面ｈａ３の面とあり、支持板固定用外側受け凹部内面ｈａ１の面と支持板固定用外側受け凹部底面ｈａ２の面との間に支持板固定用外側受け凹部内面凹部ｈａ５の凹部があり、支持板固定用外側受け凹部外面ｈａ３の面の開閉可能な支持板凹部底面ｐの面の反対側に支持板固定用外側受け凹部底面凹部ｈａ６の凹部があり、支持板固定用外側受け凹部底面ｈａ２の面と支持板固定用外側受け凹部底面凹部ｈａ６の凹部との交点の角が支持板固定用外側受け凹部底面角ｈａ４の角である。
【００４３】  携帯端末ケースａの開閉可能な支持板凹部底面ｐの面にある支持板裏面外側固定用凸部受け凹部（第３凹部）ｈａの凹部の支持板固定用外側受け凹部内面ｈａ１の面と開閉可能な支持板ｂの開閉可能な支持板背面ｎの面にある開閉可能な支持板裏面の外側固定用凸部（第２凸部）ｇａの凸部の支持板裏面外側固定用凸部内面ｇａ１の面が接し、携帯端末ケースａの開閉可能な支持板凹部底面ｐの面にある支持板裏面外側固定用凸部受け凹部（第３凹部）ｈａの凹部の支持板固定用外側受け凹部底面ｈａ２の面と開閉可能な支持板ｂの開閉可能な支持板背面ｎの面にある開閉可能な支持板裏面の外側固定用凸部（第２凸部）ｇａの凸部の支持板裏面外側固定用凸部底面ｇａ２の面が接している状態で、開閉可能な支持板ｂが携帯端末ケースａの開閉可能な支持板用凹部（第１凹部）ｋの凹部に収まっている状態である。
【００４４】  図５は、図３の右側の開閉可能な支持板ｂのＧ部の拡大図で、開閉可能な支持板裏面の回転軸側固定用凸部（第３凸部）ｇｂの凸部と支持板裏面軸受側固定用凸部受け凹部（第４凹部）ｈｂの凹部の細部を表す。
【００４５】  開閉可能な支持板ｂの開閉可能な支持板背面ｎの面にある開閉可能な支持板裏面の回転軸側固定用凸部（第３凸部）ｇｂの凸部は、支持板裏面の回転軸側固定用凸部内面ｇｂ１の面と支持板裏面の回転軸側固定用凸部底面ｇｂ２の面と支持板裏面の回転軸側固定用凸部外面ｇｂ３の面からなり、支持板裏面の回転軸側固定用凸部外面ｇｂ３の面と支持板裏面の回転軸側固定用凸部内面ｇｂ１の面は対面しており、支持板裏面の回転軸側固定用凸部外面ｇｂ３の面は支持板裏面の回転軸側固定用凸部内面ｇｂ１の面より短く、そのため支持板裏面の回転軸側固定用凸部底面ｇｂ２の面は支持板裏面の回転軸側固定用凸部外面ｇｂ３の面側に傾斜している一辺が傾斜になった台形である。
【００４６】  そして、開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部内面ｇｂ１の面と支持板裏面の回転軸側固定用凸部底面ｇｂ２の面の交点が支持板裏面の回転軸側固定用凸部底部角ｇｂ４の角がある。
【００４７】  携帯端末ケースａの開閉可能な支持板凹部底面ｐの面にある支持板裏面軸受側固定用凸部受け凹部（第４凹部）ｈｂの凹部は、支持板固定用軸受け凹部内面ｈｂ１の面と支持板固定用軸受け凹部底面ｈｂ２の面と支持板固定用軸受け凹部外面ｈｂ３の面と支持板固定用軸受け凹部外面斜面ｈｂ４の面からなり、支持板固定用軸受け凹部外面斜面ｈｂ４の面は支持板固定用軸受け凹部外面ｈｂ３の面と開閉可能な支持板凹部底面ｐの面の角を面取りしたテーパー面である。
【００４８】  携帯端末ケースａの開閉可能な支持板凹部底面ｐの面にある支持板裏面軸受側固定用凸部受け凹部（第４凹部）ｈｂの凹部の支持板固定用軸受け凹部底面ｈｂ２の面と開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部底部角ｇｂ４の角が接し、携帯端末ケースａの開閉可能な支持板凹部底面ｐの面にある支持板裏面軸受側固定用凸部受け凹部（第４凹部）ｈｂの凹部の支持板固定用軸受け凹部外面ｈｂ３の面と開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部外面ｇｂ３の面が接している状態で、開閉可能な支持板ｂが携帯端末ケースａの開閉可能な支持板用凹部（第１凹部）ｋの凹部に収まっている状態である。
【００４９】  図６は、図２のＢ−Ｂ’間の断面図で回転軸受（第２凹部）ｅが長円形で傾斜していることを表すための断面図である。
【００５０】  回転軸受（第２凹部）ｅは、長円形で携帯端末ケースａの裏面にある開閉可能な支持板用凹部（第１凹部）ｋの凹部を構成する上面と下面の開閉可能な支持板用凹部中央側側面ｋ１側に位置し、回転軸受（第２凹部）ｅの長手方向が開閉可能な支持板用凹部（第１凹部）ｋの凹部の回転軸受（第２凹部）ｅを有する面の長辺に対して斜めに配され、回転軸受（第２凹部）ｅが長円形であるため、開閉可能な支持板ｂにある回転軸（第１凸部）ｄは長円形の回転軸受（第２凹部）ｅに沿って回転・移動させることができ、よって、開閉可能な支持板ｂも長円形の回転軸受（第２凹部）ｅに沿って回転・移動することができる。
【００５１】  図７は、図２の右側の開閉可能な支持板ｂの開閉可能な支持板外面ｒの面から描いた正面図で、開閉可能な支持板ｂの上面と下面の左側に回転軸（第１凸部）ｄがあり、裏面の上部及び下部に開閉可能な支持板裏面の外側固定用凸部（第２凸部）ｇａの凸部と開閉可能な支持板裏面の回転軸側固定用凸部（第３凸部）ｇｂの凸部があり、回転軸（第１凸部）ｄは開閉可能な支持板ｂと同じ材質の一体型でもよく、また、回転軸（第１凸部）ｄが開閉可能な支持板ｂと別の材質で回転軸（第１凸部）ｄが開閉可能な支持板ｂに埋め込まれた形状でもよい。
【００５２】  図８は、図７の開閉可能な支持板の上部図で、長辺の開閉可能な支持板背面ｎの裏面とで開閉可能な支持板外面ｒの表面とは対面で、開閉可能な支持板背面ｎの面と開閉可能な支持板外面ｒの面の右側の短辺が開閉可能な支持板外側側面ｓの面で、開閉可能な支持板外側側面ｓの面の対面には、テーパーにした２箇所の開閉可能な支持板の回転軸側テーパー面ｑの面とこの２つの開閉可能な支持板の回転軸側テーパー面ｑの面に挟まれた面があり、これらの面で構成された面が上面で、その上面の開閉可能な支持板の回転軸側テーパー面ｑの面側に同心円の回転軸（第１凸部）ｄがあり、開閉可能な支持板背面ｎの面には開閉可能な支持板裏面の外側固定用凸部（第２凸部）ｇａの凸部と開閉可能な支持板裏面の回転軸側固定用凸部（第３凸部）ｇｂの凸部が有り、開閉可能な支持板外面ｒの面と開閉可能な支持板外側側面ｓの面の交点に開閉可能な支持板外側角ｕの角があることを表している。
【００５３】  図９は、図２のＤ−Ｄ’間の断面図で携帯端末ケースａの開閉可能な支持板用凹部（第１凹部）ｋの凹部にある回転軸受（第２凹部）ｅと開閉可能な支持板ｂにある回転軸（第１凸部）ｄとの関係を表す断面図で、回転軸受（第２凹部）ｅは回転軸（第１凸部）ｄを受ける形にあることを表す。
【００５４】  図１０は、図２のＥ−Ｅ’間の断面図で携帯端末ケースａにある開閉可能な支持板外側取出用楕円凹部ｆａの凹部と開閉可能な支持板内側取出用楕円凹部ｆｂの凹部を表し、左右の開閉可能な支持板ｂに対してそれぞれ開閉可能な支持板外側取出用楕円凹部ｆａの凹部と開閉可能な支持板内側取出用楕円凹部ｆｂの凹部がある。
【００５５】  開閉可能な支持板外側取出用楕円凹部ｆａの凹部は開閉可能な支持板ｂを裏面中央凸部ａ１の中央方向に押したり、支持板ｂを開くための凹部で、開閉可能な支持板内側取出用楕円凹部ｆｂの凹部は開閉可能な支持板ｂを外方向に押すための凹部である。
【００５６】  図１１は、携帯端末ケースａ裏面の右側の開閉可能な支持板ｂ部の携帯端末ケースａと開閉可能な支持板ｂと回転軸（第１凸部）ｄと長円形の回転軸受（第２凹部）ｅを表した部分図であり、開閉可能な支持板ｂが携帯端末ケースａの開閉可能な支持板用凹部（第１凹部）ｋの凹部に収まった状態で、開閉可能な支持板ｂにある回転軸（第１凸部）ｄは長円形の回転軸受（第２凹部）ｅの長手方向の携帯端末ケースａの裏面側に位置していることを表す。
【００５７】  図１２は、携帯端末ケースａに対して開閉可能な支持板ｂの開度が９０度の角度を保持していることを表す部分図です。
【００５８】  回転軸受（第２凹部）ｅが同心円でなく、長円形の回転軸受（第２凹部）ｅの長手方向は携帯端末ケースａの開閉可能な支持板用凹部中央側側面ｋ１の面と開閉可能な支持板凹部底面ｐの面の交点方向に傾斜しているため、開閉可能な支持板ｂにある回転軸（第１凸部）ｄは、開閉可能な支持板ｂが閉じた状態から長円形の回転軸受（第２凹部）ｅに沿って携帯端末ケースａの開閉可能な支持板用凹部中央側側面ｋ１の面と開閉可能な支持板凹部底面ｐの面の交点方向に回転・移動し、開閉可能な支持板ｂの開閉可能な支持板外面ｒの面と携帯端末ケースａの開閉可能な支持板用凹部中央側側面ｋ１の面とが接し、また、２箇所の開閉可能な支持板の回転軸側テーパー面ｑの面に挟まれた面が開閉可能な支持板凹部底面ｐの面と接することで、開閉可能な支持板ｂは携帯端末ケースａに対して２面が接し、開閉可能な支持板ｂの開度が９０度の角度を保持できる。この時の開閉可能な支持板ｂにある回転軸（第１凸部）ｄは長円形の回転軸受（第２凹部）ｅの長手方向の開閉可能な支持板用凹部中央側側面ｋ１と開閉可能な支持板凹部底面ｐの交点側に移動していることを表す。
【００５９】  図１３は、携帯端末ケースａに対して開閉可能な支持板ｂの開度が、各開閉可能な支持板の回転軸側テーパー面ｑが開閉可能な支持板ｂの開閉可能な支持板背面ｎの面と開閉可能な支持板外面ｒの面に対して４５度のテーパーである場合で４５度の角度を保持していることを表す部分図です。
【００６０】  この場合も回転軸受（第２凹部）ｅが同心円でなく、長円形の回転軸受（第２凹部）ｅの長手方向は携帯端末ケースａの開閉可能な支持板用凹部中央側側面ｋ１の面と開閉可能な支持板凹部底面ｐの面の交点方向に傾斜しているため、開閉可能な支持板ｂにある回転軸（第１凸部）ｄは、開閉可能な支持板ｂが閉じた状態から長円形の回転軸受（第２凹部）ｅに沿って携帯端末ケースａの開閉可能な支持板用凹部中央側側面ｋ１の面と開閉可能な支持板凹部底面ｐの面の交点方向に回転・移動し、開閉可能な支持板ｂの開閉可能な支持板背面ｎの面側の開閉可能な支持板の回転軸側テーパー面ｑの面が携帯端末ケースａの開閉可能な支持板凹部底面ｐの面に接し、開閉可能な支持板ｂの開閉可能な支持板外面ｒの面側の開閉可能な支持板の回転軸側テーパー面ｑの面が携帯端末ケースａの開閉可能な支持板用凹部中央側側面ｋ１の面に接することで、開閉可能な支持板ｂは携帯端末ケースａに対して２面が接し、開閉可能な支持板ｂの開度が４５度の角度を保持できる。
【００６１】  この様に開閉可能な支持板ｂにある回転軸（第１凸部）ｄが長円形の回転軸受（第２凹部）ｅに沿って回転・移動が可能なため、開閉可能な支持板ｂの開度は携帯端末ケースａに対して９０度と４５度で保持できることで、携帯端末ケースａを縦方向に立てて使用する場合は、携帯端末ケースａの短辺側が底面となり、その短辺の底面の接地部と９０度に開いた時の開閉可能な支持板ｂの接地部との距離と４５度に開いた時の開閉可能な支持板ｂの接地部との距離との違いで、携帯端末ケースａの傾斜角度が異なります。
【００６２】  携帯端末ケースａを横方向に立てて使用する場合も、携帯端末ケースａの長辺側が底面となり、その長辺の底面の接地部と９０度に開いた時の開閉可能な支持板ｂの接地部との距離と４５度に開いた時の開閉可能な支持板ｂの接地部との距離の違いで、携帯端末ケースａの傾斜角度が異なります。
【００６３】  よって、携帯端末ケースａは、携帯端末ケースａを縦方向でも横方向でも、開閉可能な支持板ｂの開度が９０度と４５度に保持できることで、携帯端末ケースａの傾斜角度を変えて立てかけて自立できる。縦方向は上面及び下面、横方向は左面及び右面のいずれの方向を下にしても自立できる。
【００６４】  図１４から図２４までは、開閉可能な支持板ｂが開いた状態から携帯端末ケースａの開閉可能な支持板用凹部（第１凹部）ｋの凹部に収まるまでの過程の説明で、図１４は、図２の右側の開閉可能な支持板ｂを９０度に開いた状態から開閉可能な支持板ｂを長円形の回転軸受（第２凹部）ｅに沿って、回転軸（第１凸部）ｄを長円形の回転軸受（第２凹部）ｅの携帯端末ケースａの開閉可能な支持板用凹部中央側側面ｋ１の面と開閉可能な支持板凹部底面ｐの面の交点の反対側まで移動させた状態の部分図で、図２４は、図２の右側の開閉可能な支持板ｂが携帯端末ケースａの開閉可能な支持板用凹部（第１凹部）ｋの凹部に収まった状態を表す部分図を示す。
【００６５】  図１５・図１８・図２１は、図１４から図２４までの開閉可能な支持板ｂの動きの一例を表す、しかし、これ以外の動きで図２４に至ることもあるが、図２４の状態の開閉可能な支持板ｂは携帯端末ケースａの開閉可能な支持板用凹部（第１凹部）ｋの凹部に収まる。
【００６６】  図１６・図１９・図２２・図２５は、図１５・図１８・図２１・図２４のＦ部の拡大図で、携帯端末ケースａの開閉可能な支持板凹部底面ｐの面にある支持板裏面外側固定用凸部受け凹部（第３凹部）ｈａの凹部と開閉可能な支持板ｂの開閉可能な支持板背面ｎの面にある開閉可能な支持板裏面の外側固定用凸部（第２凸部）ｇａの凸部の動きの変化を表す。
【００６７】  図１７・図２０・図２３・図２６は、図１５・図１８・図２１・図２４のＧ部の拡大図で、携帯端末ケースａの開閉可能な支持板凹部底面ｐの面にある支持板裏面軸受側固定用凸部受け凹部（第４凹部）ｈｂの凹部と開閉可能な支持板ｂの開閉可能な支持板背面ｎの面にある開閉可能な支持板裏面の回転軸側固定用凸部（第３凸部）ｇｂの凸部の動きの変化を表す。
【００６８】  図１５は、図１４から開閉可能な支持板ｂを携帯端末ケースａの開閉可能な支持板用凹部（第１凹部）ｋの凹部に収めるように開度を閉じていき開閉可能な支持板ｂの開閉可能な支持板背面ｎの面にある開閉可能な支持板裏面の外側固定用凸部（第２凸部）ｇａの凸部が携帯端末ケースａの開閉可能な支持板凹部底面ｐの面に接する寸前を表す。
【００６９】  図１６は、図１５のＦ部の拡大図で、開閉可能な支持板ｂの開閉可能な支持板背面ｎの面にある開閉可能な支持板裏面の外側固定用凸部（第２凸部）ｇａの凸部の支持板裏面外側固定用凸部外面ｇａ３の面と支持板裏面外側固定用凸部底面ｇａ２の面からなる交点が携帯端末ケースａの開閉可能な支持板凹部底面ｐの面に接するところを表す。
【００７０】  図１７は、図１５のＧ部の拡大図で、開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部底面ｇｂ２の面は傾斜しているため、携帯端末ケースａの開閉可能な支持板凹部底面ｐの面に接していないことを表す。
【００７１】  図１８は、図１５から更に閉じた状態を示す。
【００７２】  図１９は、図１８のＦ部の拡大図で、開閉可能な支持板ｂの開閉可能な支持板背面ｎの面にある開閉可能な支持板裏面の外側固定用凸部（第２凸部）ｇａの凸部の支持板裏面外側固定用凸部底面ｇａ２の面と支持板裏面外側固定用凸部外面ｇａ３の面からなる交点が携帯端末ケースａの開閉可能な支持板凹部底面ｐの面にある支持板裏面外側固定用凸部受け凹部（第３凹部）ｈａの凹部の支持板固定用外側受け凹部外面ｈａ３の面の斜面上にある。
【００７３】  図２０は、図１８のＧ部の拡大図で、開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部底面ｇｂ２の面の斜面が携帯端末ケースａの開閉可能な支持板凹部底面ｐの面と支持板裏面軸受側固定用凸部受け凹部（第４凹部）ｈｂの凹部の支持板固定用軸受け凹部外面斜面ｈｂ４の面からなる交点と接しているところを表す。
【００７４】  図２１は、図１８から更に閉じた状態を示す。
【００７５】  図２２は、図２１のＦ部の拡大図で、開閉可能な支持板ｂの開閉可能な支持板背面ｎの面にある開閉可能な支持板裏面の外側固定用凸部（第２凸部）ｇａの凸部が携帯端末ケースａにある支持板裏面外側固定用凸部受け凹部（第３凹部）ｈａの凹部の中にあり、どの面にも接していない状態を示す。
【００７６】  図２３は、図２１のＧ部の拡大図で、開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部外面ｇｂ３の面と携帯端末ケースａの開閉可能な支持板凹部底面ｐの面にある支持板裏面軸受側固定用凸部受け凹部（第４凹部）ｈｂの凹部の支持板固定用軸受け凹部外面ｈｂ３の面が接している状態で、開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部底部角ｇｂ４の角と携帯端末ケースａの開閉可能な支持板凹部底面ｐの面にある支持板裏面軸受側固定用凸部受け凹部（第４凹部）ｈｂの凹部の支持板固定用軸受け凹部底面ｈｂ２の面は接していない状態を示す。
【００７７】  図２４は、開閉可能な支持板ｂが携帯端末ケースａの開閉可能な支持板用凹部（第１凹部）ｋの凹部に収まり閉じた状態を表す。
【００７８】  図２５は、図２４のＦ部の拡大図で、開閉可能な支持板ｂの開閉可能な支持板背面ｎの面にある開閉可能な支持板裏面の外側固定用凸部（第２凸部）ｇａの凸部の支持板裏面外側固定用凸部底面ｇａ２の面と携帯端末ケースａの支持板裏面外側固定用凸部受け凹部（第３凹部）ｈａの凹部にある支持板固定用外側受け凹部底面ｈａ２の面が接し、開閉可能な支持板ｂは携帯端末ケースａの開閉可能な支持板用凹部（第１凹部）ｋの凹部に収まり閉じた状態にあり、更に、開閉可能な支持板ｂの開閉可能な支持板背面ｎの面にある開閉可能な支持板裏面の外側固定用凸部（第２凸部）ｇａの凸部の支持板裏面外側固定用凸部内面ｇａ１の面と携帯端末ケースａの開閉可能な支持板凹部底面ｐの面にある支持板裏面外側固定用凸部受け凹部（第３凹部）ｈａの凹部の支持板固定用外側受け凹部内面ｈａ１の面とが接している。
【００７９】  図２６は、図２４のＧ部の拡大図で、開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部底部角ｇｂ４の角が、携帯端末ケースａの開閉可能な支持板凹部底面ｐの面にある支持板裏面軸受側固定用凸部受け凹部（第４凹部）ｈｂの凹部の支持板固定用軸受け凹部底面ｈｂ２の面に接し、開閉可能な支持板ｂは携帯端末ケースａの開閉可能な支持板用凹部（第１凹部）ｋの凹部に収まり、閉じた状態で、更に、開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部外面ｇｂ３の面と携帯端末ケースａの開閉可能な支持板凹部底面ｐの面にある支持板裏面軸受側固定用凸部受け凹部（第４凹部）ｈｂの凹部の支持板固定用軸受け凹部外面ｈｂ３の面が接している。
【００８０】  本発明の開閉可能な支持板ｂを携帯端末ケースａの開閉可能な支持板用凹部（第１凹部）ｋの凹部に閉じて保持する方法は、開閉可能な支持板裏面の外側固定用凸部（第２凸部）ｇａの凸部が平行四辺形で、その平行四辺形を受ける支持板裏面外側固定用凸部受け凹部（第３凹部）ｈａの凹部が平行四辺形を受ける形状であれば、同心円の回転軸（第１凸部）ｄと同心円の回転軸受（第２凹部）ｅでは、開閉可能な支持板ｂを閉じる時、開閉可能な支持板裏面の外側固定用凸部（第２凸部）ｇａの凸部の支持板裏面外側固定用凸部底面ｇａ２の面が、開閉可能な支持板凹部底面ｐにあたり開閉可能な支持板ｂは携帯端末ケースａの開閉可能な支持板用凹部（第１凹部）ｋの凹部に収めることができず、よって、回転軸受（第２凹部）ｅを長円形にし、開閉可能な支持板ｂを回転・移動させることで、開閉可能な支持板ｂを携帯端末ケースａの開閉可能な支持板用凹部（第１凹部）ｋの凹部に収めることが可能となる。
【００８１】  携帯端末ケースａの開閉可能な支持板用凹部（第１凹部）ｋの凹部に開閉可能な支持板ｂが収まった状態を保持するには、まず、開閉可能な支持板ｂが携帯端末ケースａの開閉可能な支持板凹部底面ｐ側に動こうとした場合は、図２５の拡大図より開閉可能な支持板ｂの開閉可能な支持板背面ｎの面にある開閉可能な支持板裏面の外側固定用凸部（第２凸部）ｇａの凸部の支持板裏面外側固定用凸部底面ｇａ２の面と携帯端末ケースａの開閉可能な支持板凹部底面ｐの面にある支持板裏面外側固定用凸部受け凹部（第３凹部）ｈａの凹部の支持板固定用外側受け凹部底面ｈａ２の面が接し、また、図２６の拡大図より開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部底部角ｇｂ４の角と携帯端末ケースａの開閉可能な支持板凹部底面ｐの面にある支持板裏面軸受側固定用凸部受け凹部（第４凹部）ｈｂの凹部の支持板固定用軸受け凹部底面ｈｂ２の面が接しているため開閉可能な支持板ｂは開閉可能な支持板凹部底面ｐ方向には動かない。
【００８２】  そして、開閉可能な支持板ｂが開こうとした場合は、図２５の拡大図より開閉可能な支持板ｂの開閉可能な支持板背面ｎの面にある開閉可能な支持板裏面の外側固定用凸部（第２凸部）ｇａの凸部の支持板裏面外側固定用凸部内面ｇａ１の面と携帯端末ケースａの開閉可能な支持板凹部底面ｐの面にある支持板裏面外側固定用凸部受け凹部（第３凹部）ｈａの凹部の支持板固定用外側受け凹部内面ｈａ１の面とが接しており、携帯端末ケースａの開閉可能な支持板凹部底面ｐの面にある支持板裏面外側固定用凸部受け凹部（第３凹部）ｈａの凹部の支持板固定用外側受け凹部内面ｈａ１の面は、回転する側の開閉可能な支持板ｂの開閉可能な支持板背面ｎの面にある開閉可能な支持板裏面の外側固定用凸部（第２凸部）ｇａの凸部の支持板裏面外側固定用凸部内面ｇａ１の面を押さえるように傾斜しており、支持板裏面外側固定用凸部内面ｇａ１の面は携帯端末ケースａの開閉可能な支持板凹部底面ｐの面にある支持板裏面外側固定用凸部受け凹部（第３凹部）ｈａの凹部の支持板固定用外側受け凹部内面ｈａ１の面を押し上げるように傾斜しているため、開閉可能な支持板ｂが開こうとすると支持板裏面外側固定用凸部内面ｇａ１の面が支持板固定用外側受け凹部内面ｈａ１の面にあたり開閉可能な支持板ｂは開かない。
【００８３】  また、右側の開閉可能な支持板ｂが図２４の裏面右側凸部ａ２側に動こうとした場合は、図２６の拡大図より開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部外面ｇｂ３の面が携帯端末ケースａの開閉可能な支持板凹部底面ｐの面にある支持板裏面軸受側固定用凸部受け凹部（第４凹部）ｈｂの凹部の支持板固定用軸受け凹部外面ｈｂ３の面に接しているので開閉可能な支持板ｂは裏面右側凸部ａ２方向には動かない。
【００８４】  最後に、右の開閉可能な支持板ｂが図２４の裏面中央凸部ａ１側に動こうとした場合は、図２５の拡大図より開閉可能な支持板ｂの開閉可能な支持板背面ｎの面にある開閉可能な支持板裏面の外側固定用凸部（第２凸部）ｇａの凸部の支持板裏面外側固定用凸部内面ｇａ１の面と携帯端末ケースａの開閉可能な支持板凹部底面ｐの面にある支持板裏面外側固定用凸部受け凹部（第３凹部）ｈａの凹部の支持板固定用外側受け凹部内面ｈａ１の面が接しているので開閉可能な支持板ｂは裏面中央凸部ａ１方向には動かない。
よって、いずれの方向にも動くことが出来ない。
【００８５】  図２７から図３０・図３３・図３６は、開閉可能な支持板ｂが開く動作の説明を表す。
図２７は、図２４の開閉可能な支持板ｂが閉じた状態から開閉可能な支持板ｂを開くために、開閉可能な支持板ｂの開閉可能な支持板外面ｒの面にある開閉可能な支持板外側角ｕの角を開閉可能な支持板凹部底面ｐの面の方向に押さえた状態を表す。
【００８６】  図２８は、図２７のＦ部の拡大図で、開閉可能な支持板ｂの開閉可能な支持板背面ｎの面にある開閉可能な支持板裏面の外側固定用凸部（第２凸部）ｇａの凸部の支持板裏面外側固定用凸部底面ｇａ２の面と接している携帯端末ケースａの開閉可能な支持板凹部底面ｐの面にある支持板裏面外側固定用凸部受け凹部（第３凹部）ｈａの凹部の支持板固定用外側受け凹部底面角ｈａ４の角が支点となり、開閉可能な支持板ｂは支持板固定用外側受け凹部底面角ｈａ４の角を支点に回転するため、開閉可能な支持板ｂの開閉可能な支持板背面ｎの面にある開閉可能な支持板裏面の外側固定用凸部（第２凸部）ｇａの凸部の支持板裏面外側固定用凸部底面ｇａ２の面と支持板裏面外側固定用凸部外面ｇａ３の面からなる交点が、携帯端末ケースａの開閉可能な支持板凹部底面ｐの面にある支持板裏面外側固定用凸部受け凹部（第３凹部）ｈａの凹部の支持板固定用外側受け凹部底面凹部ｈａ６の凹部側に押し込まれる形になり、図２４で接していた携帯端末ケースａの開閉可能な支持板凹部底面ｐの面にある支持板裏面外側固定用凸部受け凹部（第３凹部）ｈａの凹部の支持板固定用外側受け凹部内面ｈａ１の面と開閉可能な支持板ｂの開閉可能な支持板背面ｎの面にある開閉可能な支持板裏面の外側固定用凸部（第２凸部）ｇａの凸部の支持板裏面外側固定用凸部内面ｇａ１の面が離れる。
【００８７】  この時、開閉可能な支持板ｂは支持板固定用外側受け凹部底面角ｈａ４の角を支点に回転するため、開閉可能な支持板ｂの開閉可能な支持板背面ｎの面にある開閉可能な支持板裏面の外側固定用凸部（第２凸部）ｇａの凸部の支持板裏面外側固定用凸部内面ｇａ１の面と支持板裏面外側固定用凸部底面ｇａ２の面からなる交点の角が、携帯端末ケースａの開閉可能な支持板凹部底面ｐの面にある支持板裏面外側固定用凸部受け凹部（第３凹部）ｈａの凹部の支持板固定用外側受け凹部内面凹部ｈａ５の凹部に入ってくる形で回転する。
【００８８】  そして、回転軸（第１凸部）ｄの位置は、携帯端末ケースａの開閉可能な支持板凹部底面ｐの面にある支持板裏面外側固定用凸部受け凹部（第３凹部）ｈａの凹部の支持板固定用外側受け凹部底面角ｈａ４の角を支点に回転するため、図２４と比べ、開閉可能な支持板用凹部中央側側面ｋ１の面と開閉可能な支持板凹部底面ｐの面の交点の反対側に移動していることを表す。
【００８９】  携帯端末ケースａの開閉可能な支持板凹部底面ｐの面にある支持板裏面外側固定用凸部受け凹部（第３凹部）ｈａの支持板固定用外側受け凹部底面凹部ｈａ６の凹部と支持板固定用外側受け凹部内面凹部ｈａ５の凹部があるので、開閉可能な支持板ｂの開閉可能な支持板背面ｎの面にある開閉可能な支持板裏面の外側固定用凸部（第２凸部）ｇａの凸部は携帯端末ケースａの開閉可能な支持板凹部底面ｐの面にある支持板裏面外側固定用凸部受け凹部（第３凹部）ｈａの支持板固定用外側受け凹部底面角ｈａ４の角を支点に回転が可能となり、よって、開閉可能な支持板ｂも回転が可能となる。
【００９０】  図２９は、図２７のＧ部の拡大図で、図２４では、開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部底部角ｇｂ４の角が携帯端末ケースａの開閉可能な支持板凹部底面ｐの面にある支持板裏面軸受側固定用凸部受け凹部（第４凹部）ｈｂの凹部の支持板固定用軸受け凹部底面ｈｂ２の面に接していたのが、図２９では、開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部底部角ｇｂ４の角が携帯端末ケースａの開閉可能な支持板凹部底面ｐの面にある支持板裏面軸受側固定用凸部受け凹部（第４凹部）ｈｂの凹部の支持板固定用軸受け凹部底面ｈｂ２の面から離れることを示す。
【００９１】  図３０は、図２７の状態から開閉可能な支持板ｂを開閉可能な支持板内側取出用楕円凹部ｆｂの凹部より２面ある開閉可能な支持板の回転軸側テーパー面ｑの面の間の面を外側に押し、開閉可能な支持板ｂを開けるための動きを示す。
【００９２】  図３１は、図３０のＦ部の拡大図で、開閉可能な支持板ｂの開閉可能な支持板背面ｎの面にある開閉可能な支持板裏面の外側固定用凸部（第２凸部）ｇａの凸部の支持板裏面外側固定用凸部底面ｇａ２の面と支持板裏面外側固定用凸部外面ｇａ３の面とからなる交点の角が携帯端末ケースａの開閉可能な支持板凹部底面ｐの面の支持板裏面外側固定用凸部受け凹部（第３凹部）ｈａの凹部の支持板固定用外側受け凹部外面ｈａ３の面の斜面上にあることを示す。
【００９３】  図３２は、図３０のＧ部の拡大図で、開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部底面ｇｂ２の面の斜面が携帯端末ケースａの開閉可能な支持板凹部底面ｐの面にある支持板裏面軸受側固定用凸部受け凹部（第４凹部）ｈｂの凹部の支持板固定用軸受け凹部外面斜面ｈｂ４の面と開閉可能な支持板凹部底面ｐの面からなる交点の角の上にあることを示す。
【００９４】  図３３は、図３０の状態から開閉可能な支持板ｂを開閉可能な支持板内側取出用楕円凹部ｆｂの凹部より２面ある開閉可能な支持板の回転軸側テーパー面ｑの面の間の面を外側に押し、開閉可能な支持板ｂを開けるための動きを示す。
【００９５】  図３４は、図３３のＦ部の拡大図で、開閉可能な支持板ｂの開閉可能な支持板背面ｎの面にある開閉可能な支持板裏面の外側固定用凸部（第２凸部）ｇａの凸部の支持板裏面外側固定用凸部底面ｇａ２の面と支持板裏面外側固定用凸部外面ｇａ３の面との交点の角が携帯端末ケースａの開閉可能な支持板凹部底面ｐの面にある支持板裏面外側固定用凸部受け凹部（第３凹部）ｈａの支持板固定用外側受け凹部外面ｈａ３の面と開閉可能な支持板凹部底面ｐの面の交点にあることを表す。
【００９６】  図３５は、図３３のＧ部の拡大図で、開閉可能な支持板ｂの開閉可能な支持板背面ｎの面にある開閉可能な支持板裏面の回転軸側固定用凸部（第３凸部）ｇｂの凸部の支持板裏面の回転軸側固定用凸部底面ｇｂ２の面の斜面が携帯端末ケースａの開閉可能な支持板凹部底面ｐの面にある支持板裏面軸受側固定用凸部受け凹部（第４凹部）ｈｂの凹部の支持板固定用軸受け凹部外面斜面ｈｂ４の面と開閉可能な支持板凹部底面ｐの面の交点の角の上にあることを表す。
【００９７】  図３６は、図３５より開閉可能な支持板外側取出用楕円凹部ｆａの凹部から指で開閉可能な支持板ｂを持ち上げた状態で、この状態より４５度または９０度に開くことができる。
【００９８】  結果、図２４の開閉可能な支持板ｂを携帯端末ケースａの開閉可能な支持板用凹部（第１凹部）ｋの凹部に閉じた状態から開くには、開閉可能な支持板ｂの開閉可能な支持板外面ｒの面にある開閉可能な支持板外側角ｕ部を開閉可能な支持板凹部底面ｐの面方向に押さなければ開くことができない。これは、同心円の回転軸受（第２凹部）ｅでは不可能で、長円形の回転軸受（第２凹部）ｅを傾斜に配したことで、回転軸（第１凸部）ｄが回転・移動できることにより可能となる。
【００９９】  図３７は、従来の携帯端末ケースａで携帯端末ｃをはめ込む型の携帯端末ケースａを示し、図３８は、従来の携帯端末ケースａで携帯端末ｃを挟み込むブックカバー型の携帯端末ケースａを示す。
図３９は、本実施形態の携帯端末ケースａを横向けに使用した事例です。
図４０は、他の実施形態で開閉可能な支持板ｂをこの場合はウサギをデザインした開閉可能な支持板ｂの場合の一例を示す。
【０１００】  図４１は、携帯端末ケースａの開閉可能な支持板用凹部（第１凹部）ｋの凹部に開閉可能な支持板ｂを収め開閉可能な支持板ｂが開かないように固定する方法のその他の実施形態での、開閉可能な支持板ｂの正面図で開閉可能な支持板ｂの上面及び下面に回転軸（第１凸部）ｄと開閉可能な支持板半円球凸部ｗの半円球の凸部を有すことを表す。
【０１０１】  図４２は、開閉可能な支持板ｂが開かないように固定する方法のその他の実施形態で、図２のＢ−Ｂ’間の断面と同じ箇所を表し、図４１の開閉可能な支持板ｂにある開閉可能な支持板半円球凸部ｗの半円球の凸部を受ける携帯端末ケースａの開閉可能な支持板用凹部（第１凹部）ｋの凹部側の半円球凹部ｘの半円球の凹部を表し、開閉可能な支持板ｂが携帯端末ケースａの開閉可能な支持板用凹部（第１凹部）ｋの凹部に収まった時は、半円球凹部ｘの半円球の凹部の中に開閉可能な支持板半円球凸部ｗの半円球の凸部が収まり、開閉可能な支持板ｂが固定できる。
【０１０２】  図４３は、開閉可能な支持板ｂが開かないように固定する方法のその他の実施形態で、開閉可能な支持板ｂの裏面にある固定位置確定用凸部ｙの凸部で、開閉可能な支持板ｂの開閉可能な支持板背面ｎの面と携帯端末ケースａの開閉可能な支持板用凹部（第１凹部）ｋの凹部の開閉可能な支持板凹部底面ｐの面との距離を固定し、半円球凹部ｘの半円球の凹部と開閉可能な支持板半円球凸部ｗの半円球の凸部で、開閉可能な支持板ｂの動きを固定することができる。
【０１０３】  携帯端末ケースａは、４側面に囲まれた携帯端末用凹部ｊの凹部に携帯端末ｃをはめ込んで使用するため携帯端末用凹部ｊの凹部の前面は開放部で、携帯端末用凹部ｊの凹部の底面以外の４側面は携帯端末ｃの機種によって、スイッチやイヤホンジャックそして電源挿入部などの位置や大きさが異なり、それぞれを操作するために切り欠けや穴などを有し、携帯端末用凹部ｊの凹部の底面にはカメラのレンズ穴など携帯端末ｃに必要な切り欠けや穴がある。
【０１０４】  携帯端末ケースａの開閉可能な支持板用凹部（第１凹部）ｋの凹部にある開閉可能な支持板ｂを開き、その開く角度が携帯端末ケースａに対して９０度と４５度に開くことができ、また、その開いた角度を保持することで、その角度の違いで生じる携帯端末ケースａと開閉可能な支持板ｂの接地部との距離の違いで、携帯端末ｃの傾斜角度を変えることができる。
【０１０５】  傾斜角度を保持する方法は、携帯端末ケースａと開閉可能な支持板ｂとが面と面で２面が接して、開閉可能な支持板ｂの開度を保持しますので、表面材が濡れたり、汚れたり、油脂が付着したり、また、経年変化で材質の状態変化や材質の厚みの変化などで携帯端末ｃの傾斜角度の保持力が変わることがなく、初期性能を維持できる。
【０１０６】  本発明の携帯端末ケースａの構造は、構成部品の部品点数も少なく、携帯しやすく、また、構造が簡素な携帯端末ケースａであるため、安価で産業上利用価値の高い構造である。
【０１０７】  本実施形態の開閉可能な支持板ｂは、長方形の板２枚の構成で上下方向に対して左右開きになっていますが、その他の実施形態として、開閉可能な支持板ｂの枚数が１枚や複数枚の形状であってもよく、左右開きではなく上下開きでもいい、また、開閉可能な支持板ｂの形状も台形であったり図４０のように何かの絵柄やデザインを施した物でもいい。
【０１０８】  そして、開閉可能な支持板ｂの開き方の本実施形態は、回転の支点は中央部側で、外側が開きますが、その他の実施形態として、反対の外側を支点とする構造でもよく、開閉可能な支持板ｂのデザインや構造により支点の位置はいずれでもよい。
【０１０９】  そして、本実施形態は、前面カバーが無いものですが、その他の実施形態として、携帯端末ｃを保護するように前面カバーが付いた形状でもいい。
【符号の説明】
【０１１０】ａ      携帯端末ケース
ａ１    裏面中央凸部
ａ２    裏面右側凸部
ｂ      開閉可能な支持板
ｃ      携帯端末
ｄ      回転軸（第１凸部）
ｅ      回転軸受（第２凹部）
ｆａ    開閉可能な支持板外側取出用楕円凹部
ｆｂ    開閉可能な支持板内側取出用楕円凹部
ｇａ    開閉可能な支持板裏面の外側固定用凸部（第２凸部）
ｇａ１  支持板裏面外側固定用凸部内面
ｇａ２  支持板裏面外側固定用凸部底面
ｇａ３  支持板裏面外側固定用凸部外面
ｇｂ    開閉可能な支持板裏面の回転軸側固定用凸部（第３凸部））
ｇｂ１  支持板裏面の回転軸側固定用凸部内面
ｇｂ２  支持板裏面の回転軸側固定用凸部底面
ｇｂ３  支持板裏面の回転軸側固定用凸部外面
ｇｂ４  支持板裏面の回転軸側固定用凸部底部角
ｈａ    支持板裏面外側固定用凸部受け凹部（第３凹部）
ｈａ１  支持板固定用外側受け凹部内面
ｈａ２  支持板固定用外側受け凹部底面
ｈａ３  支持板固定用外側受け凹部外面
ｈａ４  支持板固定用外側受け凹部底面角
ｈａ５  支持板固定用外側受け凹部内面凹部
ｈａ６  支持板固定用外側受け凹部底面凹部
ｈｂ    支持板裏面軸受側固定用凸部受け凹部（第４凹部）
ｈｂ１  支持板固定用軸受け凹部内面
ｈｂ２  支持板固定用軸受け凹部底面
ｈｂ３  支持板固定用軸受け凹部外面
ｈｂ４  支持板固定用軸受け凹部外面斜面
ｊ      携帯端末用凹部
ｋ      開閉可能な支持板用凹部（第１凹部）
ｋ１    開閉可能な支持板用凹部中央側側面
ｋ２    開閉可能な支持板用凹部右側面
ｋ３    開閉可能な支持板用凹部左側面
ｍ      携帯端末押さえ
ｎ      開閉可能な支持板背面
ｐ      開閉可能な支持板凹部底面
ｑ      開閉可能な支持板の回転軸側テーパー面
ｒ      開閉可能な支持板外面
ｓ      開閉可能な支持板外側側面
ｕ      開閉可能な支持板外側角
ｗ      開閉可能な支持板半円球凸部
ｘ      半円球凹部
ｙ      固定位置確定用凸部
【図１】
2017163516.tif 000003
【図２】
2017163516.tif 000004
【図３】
2017163516.tif 000005
【図４】
2017163516.tif 000006
【図５】
2017163516.tif 000007
【図６】
2017163516.tif 000008
【図７】
2017163516.tif 000009
【図８】
2017163516.tif 000010
【図９】
2017163516.tif 000011
【図１０】
2017163516.tif 000012
【図１１】
2017163516.tif 000013
【図１２】
2017163516.tif 000014
【図１３】
2017163516.tif 000015
【図１４】
2017163516.tif 000016
【図１５】
2017163516.tif 000017
【図１６】
2017163516.tif 000018
【図１７】
2017163516.tif 000019
【図１８】
2017163516.tif 000020
【図１９】
2017163516.tif 000021
【図２０】
2017163516.tif 000022
【図２１】
2017163516.tif 000023
【図２２】
2017163516.tif 000024
【図２３】
2017163516.tif 000025
【図２４】
2017163516.tif 000026
【図２５】
2017163516.tif 000027
【図２６】
2017163516.tif 000028
【図２７】
2017163516.tif 000029
【図２８】
2017163516.tif 000030
【図２９】
2017163516.tif 000031
【図３０】
2017163516.tif 000032
【図３１】
2017163516.tif 000033
【図３２】
2017163516.tif 000034
【図３３】
2017163516.tif 000035
【図３４】
2017163516.tif 000036
【図３５】
2017163516.tif 000037
【図３６】
2017163516.tif 000038
【図３７】
2017163516.tif 000039
【図３８】
2017163516.tif 000040
【図３９】
2017163516.tif 000041
【図４０】
2017163516.tif 000042
【図４１】
2017163516.tif 000043
【図４２】
2017163516.tif 000044
【図４３】
2017163516.tif 000045